(57)【要約】【課題】遊技場にとって信頼し得る遊技客のみに計数特典を与えることにより、特定の遊技客による計数と遊技場の従業員による計数とを効果的に区別する。【解決手段】管理装置４は、遊技客毎の遊技情報について所定条件を設定して遊技情報が所定条件を満たした遊技客を他の遊技客と区別して優良会員として設定し、その設定した特定の遊技客であるか否かを特定可能な遊技客情報を計数装置５に送信し、計数装置５は、会員カードを受付けた遊技客が優良会員であると判定すると、計数処理を許容する。不特定多数の遊技客に計数特典を与えるのではなく、遊技情報が所定条件を満たした優良会員のみに計数特典を与えることにより、不正を考慮した上で、遊技場の従業員の負担を軽減することができると共に、遊技客の満足感を維持することができる。【選択図】図１
2008228779.tif 000002
【特許請求の範囲】
【請求項１】
遊技媒体を計数する計数処理を行う計数装置と、前記計数装置を管理する管理装置と、前記計数装置による計数処理を許容するか否かを判定する判定手段とを備えた遊技場用管理システムであって、
前記管理装置は、来店回数、使用遊技媒体数、投資金額、計数回数及び計数時のエラー回数のうち少なくとも１つからなる遊技情報を遊技客毎に集計する遊技情報集計手段と、遊技情報について所定条件を設定して遊技情報が所定条件を満たした遊技客を他の遊技客と区別して特定の遊技客として設定する設定手段とを備えて構成され、
前記計数装置は、遊技客を識別可能な識別情報を取得する取得手段を備えて構成され、
前記判定手段は、前記取得手段が取得した識別情報に対応する遊技客が前記設定手段により設定された特定の遊技客であると判定した場合に、前記計数装置による計数処理を許容することを特徴とする遊技場用管理システム。
【請求項２】
前記管理装置は、遊技台側から出力される遊技台にて使用された遊技媒体である使用遊技媒体を特定可能な使用遊技媒体信号、遊技台から払出された遊技媒体である払出遊技媒体を特定可能な払出遊技媒体信号、対価と引替えに貸出された遊技媒体である売上遊技媒体を特定可能な売上信号及び遊技台で遊技する遊技客を識別可能な識別情報により特定可能である遊技客が遊技する遊技台における使用遊技媒体数、払出遊技媒体数及び売上遊技媒体数に基づいて、遊技客が遊技により獲得した遊技媒体数である獲得遊技媒体数を特定する獲得遊技媒体数特定手段を備えて構成され、
前記計数装置は、前記判定手段が計数処理を許容した場合に、当該計数処理にて計数した遊技媒体数である計数遊技媒体数と、前記取得手段が取得した識別情報に対応する遊技客の前記獲得遊技媒体数特定手段が特定した獲得遊技媒体数とが所定関係を満たさない場合にエラー報知を行う報知手段を備えて構成されていることを特徴とする請求項１記載の遊技場用管理システム。
【請求項３】
前記設定手段は、所定条件を複数の区分で設定し、いずれの条件を満たしているかにより特定の遊技客をいずれかの区分に振分けて特定し、
前記計数装置は、前記取得手段が取得した識別情報に対応する遊技客が前記設定手段により設定されたいずれの区分に振分けられているのかに応じて、前記計数装置による１回あたりの計数遊技媒体数の上限、所定期間あたりの計数遊技媒体数の上限、所定期間あたりの計数回数の上限及び計数結果の出力制限のうちの少なくともいずれか１つの条件を設定して計数処理の一部を制限する制限手段を備えて構成されていることを特徴とする請求項１または２記載の遊技場用管理システム。
【請求項４】
前記制限手段は、計数処理の一部を制限する構成として、計数結果を出力する出力処理を制限するように構成され、
前記計数装置は、前記制限手段が設定した前記条件が計数処理の途中において満たされた場合に、出力処理が制限されることを特定可能な報知を予め行う予告報知手段を備えて構成されていることを特徴とする請求項３記載の遊技場用管理システム。
【発明の詳細な説明】
【技術分野】
【０００１】
本発明は、遊技媒体を計数する計数処理を行う計数装置と、前記計数装置を管理する管理装置とを備えた遊技場用管理システムに関する。
【背景技術】
【０００２】
遊技場では、遊技客は遊技により獲得した遊技媒体を計数装置により計数して希望する景品と交換するようになっている。このような計数装置として、遊技媒体を計数する計数部に通じる取込口にシャッタが設けられ、会員カードを受付けたときに限ってシャッタを開放位置にスライド移動させて取込口を開放させ、会員カードの発行を受けた遊技客のみに遊技客が自身で計数を行うことができるという計数特典を与えるように構成されたものがある（例えば特許文献１参照）。
【特許文献１】特開平９−１７３６２２号公報
【発明の開示】
【発明が解決しようとする課題】
【０００３】
ところで、近年では、遊技媒体の計数を行う場合の不正対策として、遊技場の従業員の認証を受けた場合に限って計数処理を許容することが遊技場で主流となっているが、上記した特許文献１に記載されている構成では、会員カードの発行を受けた遊技客を他の遊技客（会員カードの発行を受けていない遊技客）と区別して特定の遊技客として特定することにより、会員カードの発行を受けた遊技客のみに計数特典を与えている。
【０００４】
このものによれば、遊技場の従業員の認証を必要としなくても良いのみならず、遊技客が自身で計数を行うことになるので、遊技台から計数装置まで遊技媒体を運搬するサービス自体を提供しなくとも遊技客が不満に思わないことになり、不正を考慮した上で、遊技場の従業員の負担を軽減することができ、さらには、遊技客の満足感を維持するという効果をも期待することができる。
【０００５】
しかしながら、上記した特許文献１に記載されている構成では、不正行為を目的として作成した会員カードを使用して遊技媒体を不正に計数することも可能である。この場合、会員カードを登録するときに真実の個人情報（名前や住所など）を提示することは想定し難く、このような事情から、結局は会員カードを発行した全ての遊技客の計数を監視する必要があり、上記したような有効な効果を得るには至っていないという問題があった。
【０００６】
本発明は、上記した事情に鑑みてなされたものであり、その目的は、遊技場にとって信頼し得る遊技客のみに計数特典を与えることにより、不正を考慮した上で、遊技場の従業員の負担を軽減することができると共に、遊技客の満足感を維持することができる遊技場用管理システムを提供することにある。
【課題を解決するための手段】
【０００７】
請求項１記載の発明は、遊技媒体を計数する計数処理を行う計数装置と、前記計数装置を管理する管理装置と、前記計数装置による計数処理を許容するか否かを判定する判定手段とを備えた遊技場用管理システムであって、前記管理装置は、来店回数、使用遊技媒体数、投資金額、計数回数及び計数時のエラー回数のうち少なくとも１つからなる遊技情報を遊技客毎に集計する遊技情報集計手段と、遊技情報について所定条件を設定して遊技情報が所定条件を満たした遊技客を他の遊技客と区別して特定の遊技客として設定する設定手段とを備えて構成され、前記計数装置は、遊技客を識別可能な識別情報を取得する取得手段を備えて構成され、前記判定手段は、前記取得手段が取得した識別情報に対応する遊技客が前記設定手段により設定された特定の遊技客であると判定した場合に、前記計数装置による計数処理を許容するように構成されているところに特徴を有する。
【０００８】
請求項２記載の発明は、前記管理装置は、遊技台側から出力される遊技台にて使用された遊技媒体である使用遊技媒体を特定可能な使用遊技媒体信号、遊技台から払出された遊技媒体である払出遊技媒体を特定可能な払出遊技媒体信号、対価と引替えに貸出された遊技媒体である売上遊技媒体を特定可能な売上信号及び遊技台で遊技する遊技客を識別可能な識別情報により特定可能である遊技客が遊技する遊技台における使用遊技媒体数、払出遊技媒体数及び売上遊技媒体数に基づいて、遊技客が遊技により獲得した遊技媒体数である獲得遊技媒体数を特定する獲得遊技媒体数特定手段を備えて構成され、前記計数装置は、前記判定手段が計数処理を許容した場合に、当該計数処理にて計数した遊技媒体数である計数遊技媒体数と、前記取得手段が取得した識別情報に対応する遊技客の前記獲得遊技媒体数特定手段が特定した獲得遊技媒体数とが所定関係を満たさない場合にエラー報知を行う報知手段を備えて構成されているところに特徴を有する。
【０００９】
請求項３記載の発明は、前記設定手段は、所定条件を複数の区分で設定し、いずれの条件を満たしているかにより特定の遊技客をいずれかの区分に振分けて特定し、前記計数装置は、前記取得手段が取得した識別情報に対応する遊技客が前記設定手段により設定されたいずれの区分に振分けられているのかに応じて、前記計数装置による１回あたりの計数遊技媒体数の上限、所定期間あたりの計数遊技媒体数の上限、所定期間あたりの計数回数の上限及び計数結果の出力制限のうちの少なくともいずれか１つの条件を設定して計数処理の一部を制限する制限手段を備えて構成されているところに特徴を有する。
【００１０】
請求項４記載の発明は、前記制限手段は、計数処理の一部を制限する構成として、計数結果を出力する出力処理を制限するように構成され、前記計数装置は、前記制限手段が設定した前記条件が計数処理の途中において満たされた場合に、出力処理が制限されることを特定可能な報知を予め行う予告報知手段を備えて構成されているところに特徴を有する。
【発明の効果】
【００１１】
請求項１記載の発明によれば、管理装置は、遊技情報を遊技客毎に集計し、遊技情報について所定条件を設定して遊技情報が所定条件を満たした遊技客を他の遊技客と区別して特定の遊技客として設定し、判定手段は、取得手段が取得した識別情報に対応する遊技客が特定の遊技客であると判定すると、計数装置による計数処理を許容するように構成したので、不特定多数の遊技客に計数特典を与えるのではなく、遊技情報が所定条件を満たした特定の遊技客のみに計数特典を与えることができる。これにより、遊技場にとって信頼し得る遊技客のみに計数特典を与えることにより、不正を考慮した上で、遊技場の従業員の負担を軽減することができると共に、遊技客の満足感を維持することができる。特に、例えば常連になるほど遊技場を尊重する傾向にあり、常連の遊技客は計数値が少ないとき（例えば煙草などの低価景品）に従業員を呼び寄せることを申し訳なく感じることが多いが、そのような気遣いを不要として計数を行うことができる。
【００１２】
請求項２記載の発明によれば、遊技客が常に自身を識別させた状態（例えば会員カードを挿入した状態）で遊技を行わないと、計数を行うときに、計数装置が計数した遊技媒体数である計数遊技媒体数と遊技客が遊技して獲得した遊技媒体数である獲得遊技媒体数とが所定関係を満たさなくなり、報知手段がエラー報知を行うことになるので、そうなると、遊技客が遊技場の従業員を呼び寄せなくてはならず、遊技客が自身で計数を行えるという計数特典を受けることができなくなる。そのため、遊技客が上記した状況に陥るのを未然に回避すべく自身を識別させた状態で遊技する動機付けることができ、その結果、遊技場が遊技客の遊技情報を容易に収集して管理することができる。
【００１３】
請求項３記載の発明によれば、管理装置は、所定条件を複数の区分で設定し、いずれの条件を満たしているかにより特定の遊技客をいずれかの区分に振分けて特定し、計数装置は、取得手段が取得した識別情報に対応する遊技客がいずれの区分に振分けられているのかに応じて、計数装置による１回あたりの計数遊技媒体数の上限、所定期間あたりの計数遊技媒体数の上限、所定期間あたりの計数回数の上限及び計数結果の出力制限のうちの少なくともいずれか１つの条件を設定して計数処理の一部を制限するように構成したので、特定の遊技客の信頼度に応じて計数処理の一部を制限することにより、特定の遊技客を階層化することができる。
【００１４】
請求項４記載の発明によれば、計数装置は、設定した条件が計数処理の途中において満たされると、計数結果を出力する出力処理が制限されることを特定可能な報知を予め行うように構成したので、計数結果を出力する出力処理が制限されることを遊技客が認識することにより、予め従業員を呼び寄せておくことが可能となり、遊技媒体の計数を遅滞なく迅速に行うことができる。
【発明を実施するための最良の形態】
【００１５】
以下、本発明の一実施形態について、図面を参照しながら説明する。図１は、遊技場用管理システムの全体構成を概略的に示している。図１において、遊技場としてのパチンコホールには、パチンコ台１（本発明でいう遊技台）に対応してアウトボックス（図示せず）及び貸出装置２が設置されており、これらパチンコ台１、アウトボックス及び貸出装置２は中継装置３に接続されている。中継装置３、管理装置４（本発明でいう遊技情報集計手段、設定手段及び獲得遊技媒体数特定手段）、計数装置５（本発明でいう判定手段、取得手段、報知手段、制限手段及び予告報知手段）及びＰＯＳ装置６はＬＡＮ７を介して相互接続されている。
【００１６】
アウトボックスは、遊技台１での遊技に応じて使用した遊技媒体である使用遊技媒体に相当する使用玉（アウト）を特定可能なアウト信号（１０玉毎に１パルス）を送信し、遊技台１は、払出した遊技媒体である払出遊技媒体に相当する払出玉（セーフ）を特定可能なセーフ信号（１０玉毎に１パルス）、図柄変動信号、大当り信号などの遊技状態信号を送信する。また、貸出装置２は、遊技客が貨幣を投入した場合に、その投入された貨幣に対応して貸出した遊技媒体である売上遊技媒体に相当する売上玉を特定可能な売上信号（２５玉、１００円毎に１パルス）を送信する。尚、遊技台１がアウト信号を送信する構成であっても良いし、遊技台１がセーフ信号を送信することに代えて、遊技台１が当該遊技台１に対応して設けられる補給装置から遊技台１に補給された遊技媒体を特定可能な補給信号を送信する構成であっても良い。
【００１７】
貸出装置２は、図２に示すように、対応するパチンコ台１の稼動状態やエラー状態などを表示する状態表示ランプ８、パチンコ台１の遊技データや種々の情報を表示する例えば液晶ディスプレイからなる情報表示部９、遊技場の従業員が携帯する操作リモコンから送信される遊技客が台移動を行った場合に移動元となる遊技台番号を特定可能なリモコン台移動信号を受信する受光部１０、遊技場が発行した会員カードが挿入されるカード挿入口１１及び会員カードを排出するためのカード排出ボタン１２などを備えて構成されている。会員カードは、パチンコホールの会員として登録した遊技客に対して発行されるものであり、会員となった遊技客は会員カードを使用することにより各種サービスを受けることができる。会員として登録するためには、所定の申請用紙に氏名、年齢、性別、職業及び住所などの個人情報を記入した上でパチンコホールに提出する必要があり、パチンコホール側は入手した個人情報を会員情報として管理装置４に記憶する。
【００１８】
この場合、貸出装置２は、遊技客が会員カードをカード挿入口１１に挿入すると、会員カードに記録されている各データ（会員に付与されている会員ＩＤ、カードの有効年月日を示す有効年月日データ、パチンコホールを特定するための加盟店データなど）をカードリーダにより読取り、その読取った各データのうち少なくとも会員ＩＤを特定可能な会員カード受付信号を送信する。また、貸出装置２は、受光部１０がリモコン台移動信号を受信した場合には、遊技客の移動元となる遊技台番号を特定可能な台移動信号を送信する。
【００１９】
計数装置５は、図３ないし図５に示すように、その本体ケース１３に遊技媒体が投入されるホッパ状の受入収容器１４が設けられ、その受入収容器１４の最上部に３枚の蓋１５ａ〜１５ｃ（図５参照）が連結されてなる投入遮断蓋１５がスライド移動可能に設けられて構成されている。投入遮断蓋１５を構成する３枚の蓋１５ａ〜１５ｃのうち蓋１５ａには把持部１６が設けられており、遊技媒体の計数を行う計数者は把持部１６を持って投入遮断蓋１５をスライド移動させることが可能になっている。
【００２０】
この場合、計数者は、図４に示すように、投入遮断蓋１５を開放位置にスライド移動させる（把持部１６を前方に押出す）ことにより、受入収容器１４の受入口１４ａを開放させて遊技媒体を受入収容器１４に投入することができ、一方、図５に示すように、投入遮断蓋１５を閉鎖位置にスライド移動させる（把持部１６を手前側に引く）ことにより、受入収容器１４の受入口１４ａを閉鎖させて遊技媒体の受入収容器１４への投入を遮断することができる。また、受入収容器１４の上部であって計数者から見て手前側には、投入遮断蓋１５が閉鎖位置にスライド移動されているか否か、つまり、受入収容器１４の受入口１４ａが閉鎖されているか否かを検知する開閉検知センサ１７が設けられている。
【００２１】
受入収容器１４の最下部には取込口１８が形成されており、投込口１８にはシャッタ１９がスライド移動可能に設けられている。シャッタ１９は、例えばモータを利用したシャッタ駆動装置（図示せず）により、受入収容器１４に受入れられた遊技媒体が取込口１８を通じて計数部（図示せず）に案内されるように取込口１８を開放する開放位置（破線にて示す位置）と案内されないように取込口１８を閉鎖する閉鎖位置（二点鎖線にて示す位置）との間で図４中矢印Ａ１，Ａ２方向にスライド往復移動する（変位する）ようになっている。そして、シャッタ１９が開放位置にスライド移動されている状態では、受入収容器１４に投入された遊技媒体は、投込口１８、計数部及び排出路（図示せず）を通じて本体ケース１３の外部に排出されるようになっている。尚、計数部は、通過した遊技媒体数に対応した数の計数パルスをリアルタイムで発生する構成となっている。
【００２２】
受入収容器１４の後方には、例えば液晶ディスプレイからなる表示部１９が設けられており、この表示部１９は、計数部による計数値、つまり、投入された遊技媒体数、その投入されて計数された遊技媒体により交換可能な特定景品の交換個数、遊技媒体を特定景品と交換した場合における余り遊技媒体数などを表示するという周知の表示機能を有して構成されている。
【００２３】
本体ケース１３の上面部には、レシート発行ボタン２０、返却ボタン２１、レシート発行ボタン２０が押下されたときにレシート（計数した遊技媒体数を特定可能な情報、当日の日付及び景品交換が有効な有効期限などが記録された周知の記録媒体）を発行するレシート発行部２２が設けられていると共に、上記した表示部１９の近傍には、会員カードが挿入されるカード挿入口２３が設けられている。この場合、計数装置５は、遊技客が会員カードをカード挿入口２３に挿入すると、会員カードに記録されている各データをカードリーダにより読取るようになっている。また、本体ケース１３の正面部には、例えば遊技場の従業員が携帯する操作リモコンから送信されたリモコン信号を受信する受光部２４が設けられていると共に、上記した返却ボタン２１が押下されたときに余り玉を放出する余り玉返却部２５が設けられている。
【００２４】
上記した計数装置５は、計数処理を行う毎に計数値を特定可能な計数値情報及び計数者が詳しくは後述する優良会員（本発明でいう特定の遊技客）あるいは遊技場の従業員のいずれであるかを特定可能な計数者情報を管理装置４に送信するようになっている。つまり、計数装置５は、優良会員が会員カードをカード挿入口２３に挿入したことにより、優良会員が自身で計数を行ったときには計数値を特定可能な計数値情報及び計数者が優良会員であることを特定可能な計数者情報とを管理装置４に送信し、一方、遊技場の従業員が操作リモコンからリモコン信号を受光部２４に向けて送信させたことにより、遊技場の従業員が計数を行ったときには計数値を特定可能な計数値情報及び計数者が遊技場の従業員であることを特定可能な計数者情報を管理装置４に送信するようになっている。
【００２５】
管理装置４は、図６（ａ）に示すように、会員ＩＤ、会員氏名、貯玉数（遊技客が獲得した遊技媒体数のうち遊技場に預けておく遊技媒体数）、ポイント数、来店回数、計数回数、エラー回数、降格後エラー無回数及び会員区別を１レコードとする会員データベースを保持しており、計数装置５からの計数値情報及び計数者情報を受信する毎に、それらポイント数、来店回数、計数回数、エラー回数、降格後エラー無回数のデータを逐一更新するようになっている。ここで、ポイント数とは計数装置５が１回の計数処理を行う毎に加算する値であり、来店回数とは計数装置５が会員カードを受付けた日数であり、計数回数とは計数装置５が会員カードを受付けた状態で計数処理を行った回数であり、エラー回数とは遊技客が自身で計数を行ったときにエラーとなった回数であり、降格後エラー無回数とは遊技場の従業員が優良会員から一般会員に降格した遊技客の計数をエラー無く行った回数である。
【００２６】
管理装置４は、これら来店回数、エラー回数及び降格後エラー無回数を判定基準とし、図６（ｂ）に示す条件にしたがって、一般会員と優良会員とを区別して設定している。具体的に説明すると、管理装置４は、本実施形態では、一般会員から優良会員に昇格する昇格条件として例えば来店回数が「５０回」に到達する条件を設定しており、優良会員から一般会員に降格する降格条件として例えばエラー回数が「５回」に到達する条件を設定しており、一般会員から優良会員に再昇格する再昇格条件として例えば降格後のエラー無回数が「１０回」に到達する条件を設定している。そして、管理装置４は、会員ＩＤ毎に当該条件にしたがって設定した一般会員であるか優良会員であるかの会員区別及び別途設定した計数を許容する従業員ＩＤを特定可能な情報を計数装置５に送信し、計数装置５は、管理装置４から会員ＩＤと会員区別との対応を受信して記憶している。尚、特に図示しないが、これらの他に、遊技客の年齢や住所などの前述した所定の申請用紙に記入された個人情報や、遊技を行った遊技台あるいは投資金額などの遊技情報を周知の管理装置と同様に管理している。
【００２７】
また、管理装置４は、図６（ｃ）に示すように、パチンコ台１毎に、アウトボックスから中継装置３を介して受信したアウト信号に基づいて使用玉数を特定し、遊技台１から中継装置３を介して受信したセーフ信号に基づいて払出玉数を特定し、貸出装置２から中継装置３を介して売上信号に基づいて売上玉数を特定した上で、ＩＤ、持玉数（売上玉＋払出玉−使用玉）及び処理を１レコードとする持玉履歴データベースを保持しており、パチンコ台１からの稼動情報、貸出装置２からの会員カード受付信号及び計数装置５からの計数値情報及び計数者情報を受信する毎に、それらデータを逐一更新するようになっている。尚、図６（ｃ）は、遊技台番号が１番台の持玉履歴を示している。
【００２８】
ここで、ＩＤとは遊技客を識別するＩＤであり、会員カードの発行を受けた遊技客であれば、会員カードに記録されている会員ＩＤである。つまり、管理装置４は、遊技客が会員カードを貸出装置２のカード挿入口１１に挿入して遊技した場合には、ＩＤの欄に当該会員カードに付与されている会員ＩＤを記録し、一方、遊技客が会員カードを貸出装置２のカード挿入口１１に挿入することなく遊技した場合には、ＩＤの欄を空欄（データ無し）として記録する。
【００２９】
次に、上記した構成の作用について、図７ないし図９を参照して説明する。図７は、計数装置５が行う計数処理の流れをフローチャートとして示しており、図８は、管理装置４が行う持玉履歴更新処理の流れをフローチャートとして示している。以下、これらの処理について順次説明する。
【００３０】
（１）計数処理
計数装置５は、計数処理を開始すると、会員カードを受付けたか否かを判定すると共に（ステップＳ１）、台番信号（上記したリモコン信号）を受付けたか否かを判定する（ステップＳ２）。ここで、計数装置５は、遊技客が会員カードをカード挿入口２３に挿入したことにより、会員カードを受付けると（ステップＳ１にて「ＹＥＳ」）、その会員カードに付与されている会員ＩＤを読出し、その読出した会員ＩＤに対応して設定されている会員区別が一般会員であるか優良会員であるかを判定する（ステップＳ３）。そして、計数装置５は、その読出した会員ＩＤに対応して設定されている会員区別が優良会員であると（ステップＳ３にて「ＹＥＳ」）、シャッタ１９を開放位置にスライド移動させて取込口１８を開放させ（ステップＳ４）、持玉要求信号を管理装置４に送信する（ステップＳ５）。
【００３１】
また、計数装置５は、遊技場の従業員が操作リモコンを操作したことにより、操作リモコンから送信された台番信号を受光部２４により受信すると（ステップＳ２にて「ＹＥＳ」）、その受信した台番信号に付与されているＩＤが遊技場の従業員ＩＤであるか否かを判定する（ステップＳ６）。そして、計数装置５は、その受付けた台番信号に付与されているＩＤが遊技場の従業員ＩＤであると（ステップＳ６にて「ＹＥＳ」）、この場合も、シャッタ１９を開放位置にスライド移動させて取込口１８を開放させ（ステップＳ４）、持玉要求信号を管理装置４に送信する（ステップＳ５）。
【００３２】
すなわち、会員区別が優良会員に設定されている遊技客は、会員カードをカード挿入口２３に挿入することにより、遊技場の従業員の認証を必要とすることなく、シャッタ１９を開放位置にスライド移動させて取込口１８を開放させることができ、これ以降、自身で遊技媒体の計数を行うことができる。そして、遊技媒体が受入収容器１４に投入されると、この状態では取込口１８が開放されているので、受入収容器１４に投入された遊技媒体は、取込口１８を通じて計数部に到達して計数部が計数を開始する。計数装置５は、計数部が計数を開始して計数パルスが発生すると（ステップＳ７にて「ＹＥＳ」）、計数値を加算し（ステップＳ８）、その時点で持玉情報受信フラグを「０」に設定しているか否かを判定する（ステップＳ９）。
【００３３】
ここで、計数装置５は、持玉情報受信フラグを「０」に設定していると（ステップＳ９にて「ＹＥＳ」）、管理装置４から持玉情報を受信したか否かを判定し（ステップＳ１０）、管理装置４から持玉情報を受信すると（ステップＳ１０にて「ＹＥＳ」）、持玉情報受信フラグを「１」に設定し（ステップＳ１１）、計数部が計数を終了したか否かを判定する（ステップＳ１２）。一方、計数装置５は、持玉情報受信フラグを「０」に設定していないと（ステップＳ９にて「ＮＯ」）、計数部が計数を終了したか否かを直ちに判定する（ステップＳ１２）。
【００３４】
次いで、計数装置５は、最後の計数パルスを検知してから計数パルスを検知しない時間が所定時間（例えば１秒）経過したことに応じて計数部が計数を終了したと判定すると（ステップＳ１２にて「ＹＥＳ」）、遊技媒体を計数した計数値が「０」を超えているか否かを判定し（ステップＳ１３）、計数値が「０」を超えていると（ステップＳ１３にて「ＹＥＳ」）、発行操作が行われたか否かを判定する（ステップＳ１４）。
【００３５】
そして、計数装置５は、発行操作が行われると（ステップＳ１４にて「ＹＥＳ」）、遊技媒体を計数した計数値と持玉数との差を算出し、計数値と持玉数との差が許容範囲（例えば±５００玉）であるか否かを判定し（ステップＳ１５）、計数値が許容範囲であると（ステップＳ１５にて「ＹＥＳ」）、発行処理を行う（ステップＳ１７）。一方、計数装置５は、計数値と持玉数との差が許容範囲でないと（ステップＳ１５にて「ＮＯ」）、計数値が許容範囲でないことを示す例えばエラー表示画面を表示部１９に表示するエラー処理を行った後に（ステップＳ１６）、発行処理を行う（ステップＳ１７）。尚、計数装置５は、発行処理としては、会員カードが挿入されていない場合には、レシートをレシート発行部２２から発行させ、一方、会員カードが挿入されている場合には、計数値を貯玉して会員カードを排出する。
【００３６】
次いで、計数装置５は、このようにして発行処理を行った後に、シャッタ１９を閉鎖位置にスライド移動させて取込口１８を閉鎖させ（ステップＳ１８）、計数値を「０」に設定し（初期化し）（ステップＳ１９）、持玉情報受信フラグを「０」に設定する（ステップＳ２０）。そして、計数装置５は、計数値を特定可能な計数値情報を管理装置４に送信すると共に、計数者が優良会員であるか遊技場の従業員であるか、会員カードを受付けている場合には会員ＩＤを、また、エラーの有無を特定可能な計数者情報を管理装置４に送信し（ステップＳ２１）、リターンする。
【００３７】
尚、計数装置５は、遊技媒体を計数した計数値が「０」である場合には（ステップＳ１３にて「ＮＯ」）、キャンセル操作が行われたか否かを判定し（ステップＳ２２）、キャンセル操作が行われると（ステップＳ２２にて「ＹＥＳ」）、会員カードを排出させ（ステップＳ２３）、リターンする。また、管理装置４は、このようにして計数装置４から計数者情報を受信すると、その受信した計数者情報により特定可能な情報に基づいて前述した図６（ａ）に示した会員データベースを更新するなどの処理を行う。
【００３８】
（２）持玉履歴更新処理
管理装置４は、持玉履歴更新処理を開始すると、貸出装置２から会員カード受付信号を受信したか否かを判定すると共に（ステップＳ３１）、貸出装置２から台移動信号を受信したか否かを判定する（ステップＳ３２）。ここで、管理装置４は、貸出装置２から会員カード受付信号を受信すると（ステップＳ３１にて「ＹＥＳ」）、その会員カード受付信号から会員ＩＤを特定して持玉履歴データベースのＩＤの欄に設定し（ステップＳ３３）、その時点で処理の欄が「計数待」となっているＩＤを検索する（ステップＳ３４）。そして、管理装置４は、会員カード受付信号から特定した会員ＩＤと処理の欄が「計数待」となっているＩＤとが一致すると（ステップＳ３５にて「ＹＥＳ」）、処理の欄が「計数待」となっているレコードの持玉数を新たな持玉数に加算し（ステップＳ３６）、「台移動」を処理の欄に設定する（ステップＳ３９）。
【００３９】
また、管理装置４は、貸出装置２から台移動信号を受信すると（ステップＳ３２にて「ＹＥＳ」）、対応するパチンコ台１の持玉履歴データベースを検索し（ステップＳ３７）、対応するパチンコ台１の持玉履歴データベースに処理の欄が「計数待」となっているレコードが有るか否かを判定する（ステップＳ３８）。そして、管理装置４は、対応するパチンコ台１の持玉履歴データベースに処理の欄が「計数待」となっているレコードが有ると（ステップＳ３８にて「ＹＥＳ」）、この場合も、処理の欄が「計数待」となっているレコードの持玉数を新たな持玉数に加算し（ステップＳ３６）、「台移動」を処理の欄に設定する（ステップＳ３９）。
【００４０】
次いで、管理装置４は、貸出装置２から送信される遊技終了信号（受光部１０が遊技場の従業員が携帯する操作リモコンから送信されるリモコン終了信号を受信した場合に貸出装置２が送信する信号）あるいはカード排出信号（会員カードを排出した場合に貸出装置２が送信する信号）を受信したか否かあるいは所定時間以上の非稼動状態を検出したか（アウト信号などの稼動信号を所定時間連続して受信していないか）などの判断要素に基づいて遊技客が遊技を終了したか否かを判定し（ステップＳ４０）、遊技客が遊技を終了すると（ステップＳ４０にて「ＹＥＳ」）、「計数待」を処理の欄に設定し（ステップＳ４１）、新規レコードを作成する（ステップＳ４２）。次いで、管理装置４は、アウトボックスから中継装置３を介してアウト信号を受信したか否かを判定し（ステップＳ４３）、パチンコ台１から中継装置３を介してセーフ信号を受信したか否かを判定し（ステップＳ４４）、貸出装置２から中継装置３を介して売上信号を受信したか否かを判定する（ステップＳ４５）。
【００４１】
ここで、管理装置４は、アウトボックスから中継装置３を介してアウト信号を受信すると（ステップＳ４３にて「ＹＥＳ」）、レコードの持玉数を減算し（ステップＳ４６）、パチンコ台１から中継装置３を介してセーフ信号を受信すると（ステップＳ４４にて「ＹＥＳ」）、または、貸出装置２から中継装置３を介して売上信号を受信すると（ステップＳ４５にて「ＹＥＳ」）、レコードの持玉数を加算する（ステップＳ４７）。そして、管理装置４は、計数装置５から持玉要求信号を受信したか否かを判定し（ステップＳ４８）、計数装置５から持玉要求信号を受信すると（ステップＳ４８にて「ＹＥＳ」）、その受信した持玉要求信号の会員ＩＤに対応するレコードの持玉数を特定可能な持玉情報を計数装置５に送信し（ステップＳ４９）、「計数済」を処理の欄に設定する（ステップＳ５０）。
【００４２】
ところで、管理装置４は、優良会員を階層化して設定することもできる。具体的には、管理装置４は、図９に示すように、来店回数、遊技時間、貯玉数、売上金額、アウト数及び計数玉数の各項目について「０」〜「５」点で点数化し、それらの合計点数に応じて優良会員を５段階に設定し、それらを区分情報として計数装置５に送信する。計数装置５は、管理装置４から受信した区分情報に基づいて、１回あたりの計数遊技媒体数の上限、所定期間あたりの計数遊技媒体数の上限、所定期間あたりの計数回数の上限及び計数結果の出力制限を設定して計数処理の一部を制限し、権限を越えた計数処理を行ったときには、例えばシャッタ１９を開放位置にスライド移動させて取込口１８を開放させるタイミングあるいは発行処理を行うタイミングでエラー処理を行う。
【００４３】
エラー処理が行われた場合、遊技場の従業員が携帯する操作リモコンから許容信号を受信するなど、従業員の認証を受けたことにより計数処理あるいは発行処理を許容する。この場合、計数途中で優良会員の権限を越える計数があった場合にエラーを予告する表示を行うようにしても良い。例えば図９（ｂ）に示す優良会員２について、優良会員２の１回の計数玉数上限は「２０００玉」であるが、この優良会員２に属する遊技客が計数者となり「４０００玉」の計数を行った場合に、計数値が「２０００玉」に到達した時点でエラー予告表示を行う。この場合、遊技客は、残りの「２０００玉」について計数処理が行われている間に従業員を呼び寄せることが可能となり、計数処理が終了して発行処理を行うときには、従業員の認証を直ちに受けることが可能となる。したがって、発行処理を行うときにエラー表示を行う場合と比較して、計数を遅滞なく迅速に行うことができる。尚、上記した権限は全ての条件を設定することなくいずれか１つを設定する構成であっても良い。
【００４４】
以上に説明したように本実施形態によれば、管理装置４において、遊技客毎の遊技情報について所定条件を設定して遊技情報が所定条件を満たした遊技客を他の遊技客と区別して優良会員として設定し、その設定した優良会員であるか否かを特定可能な遊技客情報を計数装置５に送信し、計数装置５において、会員カードを受付けた遊技客が優良会員であると判定すると、計数処理を許容するように構成したので、不特定多数の遊技客に計数特典を与えるのではなく、遊技情報が所定条件を満たした優良会員のみに計数特典を与えることにより、不正を考慮した上で、遊技場の従業員の負担を軽減することができると共に、遊技客の満足感を維持することができる。
【００４５】
また、遊技媒体を計数した計数値と持玉数との差が許容範囲でないと、エラー処理を行うように構成したので、遊技客が常に会員カードを挿入した状態で遊技を行うように動機付けることができ、その結果、遊技場が遊技客の遊技情報を容易に収集して管理することができる。また、優良会員をいずれかの区分に振分けて特定し、計数装置５による１回あたりの計数遊技媒体数の上限、所定期間あたりの計数遊技媒体数の上限、所定期間あたりの計数回数の上限及び計数結果の出力制限のうちの少なくともいずれか１つの条件を設定して計数処理の一部を制限するように構成したので、特定の遊技客の信頼度に応じて計数処理の一部を制限することにより、特定の遊技客を階層化することができる。さらに、設定した条件が計数処理の途中において満たされると、計数結果を出力する出力処理が制限されることを予め報知するように構成したので、遊技客が予め従業員を呼び寄せておくことが可能となり、遊技媒体の計数を遅滞なく迅速に行うことができる。
【００４６】
本発明は、上記した実施形態に限定されることなく、次のように変形または拡張することができる。
会員ＩＤに対応して設定されている会員区別が一般会員であるか優良会員であるかを計数装置５が判定する構成に限らず、計数装置５が受付けた会員カードの会員ＩＤを管理装置４に送信し、管理装置４が計数装置５から受信した会員ＩＤに対応して設定されている会員区別が一般会員であるか優良会員であるかを判定することにより、会員ＩＤに対応して設定されている会員区別が一般会員であるか優良会員であるかを管理装置４が判定する構成であっても良く、計数装置５が管理装置４における判定結果を管理装置４から受信する構成であっても良い。
【００４７】
計数装置は、パチンコ玉を計数する計数装置に限らず、メダルなどの他の遊技媒体を計数する計数装置であっても良い。その場合、メダルを計数する計数装置では、パチンコ玉のように自由落下を期待することができないので、メダルをメダル収容口に案内するための計数円板を設けて回転させ、計数円板を回転させて発生する遠心力を利用してメダルをメダル収容口に案内する構成になるが、計数者が優良会員あるいは遊技場の従業員であるときに限って計数円板を回転運動させることにより、上記した実施形態で説明したシャッタを開閉動作させる場合と同様の作用効果を得ることができる。
【００４８】
会員カードに記録されている会員ＩＤや遊技場の従業員が携帯する操作リモコンから送信されるリモコン信号を採用して識別する構成に限らず、ＩＣタグを採用して識別する構成であっても良い。また、識別情報は磁気情報や例えば指紋などの生体情報であっても良い。さらに、識別情報の内容は、従業員毎に付与されている従業員コード、営業日当日の該当従業員の識別コード、遊技場の従業員であることを示す識別コード（遊技場内で共通の識別コード）であっても良い。尚、このような識別情報は予め計数装置や管理装置などで別途設定しておく必要がある。
【００４９】
一般会員から優良会員に昇格する昇格条件や優良会員から一般会員に降格する降格条件は、使用した遊技媒体数、投資金額あるいは計数回数などの他の条件であっても良いし、それらが複合的に組合わされた条件であっても良い。
計数値と持玉数との差が許容範囲でないときにエラー処理を行った後にレシートを発行させることに限らず、遊技場の従業員の認証を受けるまでレシートを発行させないようにしても良い。
【図面の簡単な説明】
【００５０】
【図１】本発明の一実施形態を示す全体構成図
【図２】貸出装置の斜視図
【図３】計数装置の斜視図
【図４】投入遮断蓋が開放位置にスライド移動されている態様を示す平面図
【図５】投入遮断蓋が閉鎖位置にスライド移動されている態様を示す平面図
【図６】会員データベース、優良会員昇降格条件及び持玉履歴データベースの一例を示す図
【図７】計数装置が行う計数処理を表すフローチャート
【図８】管理装置が行う持玉履歴更新処理を表すフローチャート
【図９】優良会員を階層化して設定する際の優良会員条件の一例を示す図
【符号の説明】
【００５１】
図面中、１はパチンコ台（遊技台）、４は管理装置（遊技情報集計手段、設定手段、獲得遊技媒体数特定手段）、５は計数装置（判定手段、取得手段、報知手段、制限手段、予告報知手段）である。
【図１】
2008228779.tif 000003
【図２】
2008228779.tif 000004
【図３】
2008228779.tif 000005
【図４】
2008228779.tif 000006
【図５】
2008228779.tif 000007
【図６】
2008228779.tif 000008
【図７】
2008228779.tif 000009
【図８】
2008228779.tif 000010
【図９】
2008228779.tif 000011